(57)【要約】【課題】金網壁面材を使用する補強土壁の施工時に、作業員の安全を維持し、作業性のよい組み立てができること。【解決手段】係合具１０の操作部１４を挟持することにより拡径し、その拡径された環状部１１を支柱３０に嵌め込み、操作部１４の挟持を解くことにより所定の弾性力で支柱３０に固着するものである。そして、係合具１０を固着した支柱３０を重力方向に移動させ、支柱３０に固着する係合具１０の操作部１４が金網壁面材４０にソレノイド５０を係合させ、金網壁面材４０に沿って支柱３０を立てる。また、支柱３０を反重力方向に移動させ、支柱３０及び支柱３０に固着する係合具１０はソレノイド５０の内側を通過し、支柱３０を上方に引き上げることが可能となり、上の段に配設したソレノイド５０で固定することができ、上層の施工時に適した位置に安全柵を上昇させることができる。【選択図】図１
2011208415.tif 000002
【特許請求の範囲】
【請求項１】
拡径されて支柱に嵌め込まれる環状部、並びに両端を挟持することにより拡径し、前記挟持を解くことにより、所定の弾性力で前記支柱を把持して固着する前記環状部からその中心軸方向及びその径方向に延長された操作部を有する係合具と、
前記支柱を反重力方向に移動させるとき、前記支柱及び前記支柱に固着する前記係合具の操作部が通過し、前記支柱を重力方向に移動させるとき、前記支柱に固着する前記係合具の操作部が係合する径を有する金網壁面材に１ターン以上係合するソレノイドと、
を具備することを特徴とする安全柵用補助金具。
【請求項２】
略水平方向に配設される１本以上の水平ガード桟と、
前記水平ガード桟に対して略直角に取り付けられ、垂直に配設される少なくとも２本以上の支柱と、
拡径されて前記各支柱に嵌め込まれる環状部、並びに両端を挟持することにより拡径し、前記挟持を解くことにより、所定の弾性力で前記支柱を把持して固着する前記環状部からその中心軸方向及びその径方向に延長された操作部を有する係合具と、
前記各支柱を反重力方向に移動させるとき、前記各支柱及び前記各支柱に固着する前記係合具の操作部が通過し、前記支柱を重力方向に移動させるとき、前記各支柱に固着する前記係合具の操作部が係合する径を有する金網壁面材に１ターン以上係合するソレノイドを具備し、
前記係合具は１本の支柱に対して１個以上配設し、前記ソレノイドは１本の支柱に対して２個以上配設したことを特徴とする安全柵用補助金具。
【請求項３】
略水平方向に配設される１本以上の水平ガード桟と、
前記水平ガード桟に対して略直角に取り付けられ、垂直に配設される少なくとも２本の支柱と、
拡径されて前記支柱に嵌め込まれる環状部、並びに両端を挟持することにより拡径し、前記挟持を解くことにより、所定の弾性力で前記支柱を把持して固着する前記環状部からその中心軸方向及びその径方向に延長された操作部を有する係合具と、
前記支柱を反重力方向に移動させるとき、前記支柱及び前記支柱に固着する前記係合具の操作部が通過し、前記支柱を重力方向に移動させるとき、前記支柱に固着する前記係合具の操作部が係合する径を有する金網壁面材に１ターン以上係合するソレノイドを具備し、
前記係合具は、前記支柱の１本に対して前記操作部の前記環状部からその中心軸方向の下方向に延長された１個以上を配設し、かつ、前記操作部の前記環状部からその中心軸方向の上方向に延長された１個以上を配設し、また、前記ソレノイドは１本の支柱に対して２個以上配設したことを特徴とする安全柵用補助金具。
【発明の詳細な説明】
【技術分野】
【０００１】
本発明は、補強土壁の金網壁面材を使用して施工する際に、作業員の安全を確保する安全柵に関するもので、特に、作業員が補強土壁側から転落するのを防止する安全柵用補助金具に関するものである。
【背景技術】
【０００２】
従来の補強土壁施工用の安全柵としては、特許文献１及び特許文献２の発明を挙げることができる。
まず、特許文献１は、金網仕様の補強土壁の施工の際、壁面材金網にロープ支柱に設けた引っ掛け爪が金網下部を挟持し、前記ロープ支柱を固定して引掛け挟持し、金網下部に引っ掛け爪を固定するものであるから、作業の進捗状況に応じて着脱が容易となり、金網上部はクランプで緊結固定できる。また、ロープ支柱の掛着部は、支柱両側部にロープ係止用のＵ型フックを設け、支柱両側部中央にロープ水平線より下方にロープたるみ調整金具を設ける構造とし、容易に着脱可能な、かつ、作業者の転落防止に適したロープ安全柵に関する技術を開示している。
【０００３】
また、特許文献２は、把持部を構造物に固定することにより、開口部で構造物の前側に防護部を配置することができ、構造物が補強土壁に用いられる壁面パネルの場合、防護部が開口部で壁面パネルの前に位置し、防護部を設けたまま、開口部への壁面パネルの取付けを行うことができるもので、開口部への着脱が容易であり、また、壁面パネルを用いた土壁工法の施工性に富むものである旨を開示している。
【先行技術文献】
【特許文献】
【０００４】
【特許文献１】特開２００８−１４４５６３
【特許文献２】特開２００５−１８８１７０
【発明の概要】
【発明が解決しようとする課題】
【０００５】
特許文献１は、支柱下部に設けた２個の引っ掛け爪を壁面材金網に引っ掛け、支柱下部上端のクランプで壁面材金網上端部を固定し、支柱上端部のロープ掛着部にロープを挿通し、調節部を下げて各支柱間のロープのたるみを取り、固着ねじを締めることによってロープ安全柵を仮設するものである。
また、特許文献２は、壁面パネルを用いた土壁工法において、前記壁面パネルに上から把持部を固定し、前記壁面パネルの前側に水平手摺を配置し、着脱が容易で扱い易い安全柵とするものである。
【０００６】
しかし、特許文献１のロープ安全柵は、作業者がロープに外力を加えると、ロープが部分的に変形し、作業者の転落を防止できないことがある。特に、支柱を堅固に固定していてもそのような現象が生ずるのに、下部が堅固に固定されていないものでは、尚更ロープの部分的な変形が無視できない。そして、支柱両側部にロープ水平線より下方にロープたるみ調整金具を設けても、支柱が堅固に設けられているものではその間のロープの張力を任意に設定できるものの、支柱が堅固に取り付けてないと、ロープの張力を大きくすることができない。
また、特許文献２の安全柵は、壁面パネルを用いた土壁工法で適用できるものの、堅固な壁面パネルがない金網仕様の補強土壁の施工時には使用できない。特に、壁面パネルを用いた土壁工法では、堅固な部分として壁面パネルが存在するから、それを利用する方法は他にも存在する。しかし、壁面パネルがない金網仕様の補強土壁では、前記壁面パネルのように限られた体積で堅固な部分が存在していないから、特許文献２の発明を適用できない。
【０００７】
そこで、本発明は、金網壁面材を使用する補強土壁の施工時に、作業員の安全を維持し、作業性のよい組み立てができる安全柵用補助金具の提供を課題とするものである。
【課題を解決するための手段】
【０００８】
請求項１の発明にかかる安全柵用補助金具は、係合具を構成する操作部の両端を挟持することにより環状部を拡径し、その拡径された環状部を支柱に嵌め込み、前記操作部の挟持を解くことにより、前記環状部の所定の弾性力で前記支柱に取り付けられる。そして、前記係合具を固着した前記支柱を重力方向に移動させ、前記支柱に固着する前記係合具の操作部が、金網壁面材に１ターン以上係合するソレノイドに係合させる。また、前記支柱を反重力方向に移動させ、前記支柱及び前記支柱に固着する前記係合具が前記ソレノイドの内側を通過して前記支柱を上方に引き上げることを可能とし、上の層の金網壁面材に配設したソレノイドで固定することができるものである。
ここで、上記係合具の環状部は、通常、線材または板材で形成され、１ターンから３ターン巻回され、好ましくは、約２ターンに形成され、拡径されて支柱に嵌め込み、また、支柱を把持する機能を有するものである。上記係合具の操作部は、両端を挟持することにより環状部が拡径し、前記挟持を解くことにより、所定の弾性力で前記支柱を把持して固着するものであり、環状部の中心軸方向及びその径方向に延長された端部を有するものである。
また、上記ソレノイドは、１ターンから３ターン巻回されてなり、好ましくは、約２ターンに形成されている。また、前記支柱を反重力方向に移動させるとき、前記支柱及び前記支柱に固着する前記係合具の操作部が通過し、前記支柱を重力方向に移動させるとき、前記支柱に固着する前記係合具の操作部が係合する内径のソレノイドであり、エキスパンドメタル網等の金網壁面材に１ターン以上係合されるものである。
【０００９】
請求項２の発明にかかる安全柵用補助金具は、略水平方向に配設される１本以上の水平ガード桟に対して、略直角に取り付けられた少なくとも２本の支柱によって、人体の落下防止の枠体を形成する。そして、係合具の操作部の両端を挟持することにより環状部を拡径し、その拡径された環状部を前記２本以上の支柱に各々嵌め込み、係合具の操作部の挟持を解くことにより、所定の弾性力で個々に前記２本以上の支柱を把持させて固着する。また、前記係合具を取り付け固着した前記２本以上の支柱を重力方向に移動させ、前記２本以上の支柱の各々に固着する前記係合具の操作部が、金網壁面材に１ターン以上係合しているソレノイドに係合させ設置状態とする。更に、前記２本以上の支柱を反重力方向に移動させ、前記支柱及び前記支柱に固着する前記係合具の操作部が前記ソレノイドの内側を通過し、前記支柱を上方に引き上げ上の段に配設したソレノイドで固定することによって上の段の施工の安全柵とする。
ここで、略水平方向に配設される１本以上の水平ガード桟は、作業者が転落しないように直接人体をガードするものであり、必要な機械的強度を有するものである。それに中空の管材を使用するのは、軽量化のためであり、中実の材料が使用できないものではない。また、木材、竹材等の使用も可能である。
また、水平ガード桟に対して略直角に取り付けられた支柱は、通常、少なくとも２本以上配設されるが、人体の落下防止の水平ガード桟の枠体を構成するものであり、水平ガード桟のガード幅、高さを設定している。
上記係合具の環状部は、通常、線材または板材で形成され、１ターンから３ターン巻回され、好ましくは、約２ターンに形成され、拡径されて支柱に嵌め込まれ、また、支柱を把持する機能を有するものである。上記係合具の操作部は、両端を挟持することにより環状部が拡径し、前記挟持を解くことにより、所定の弾性力で前記支柱を把持して固着するものであり、環状部の中心軸方向及びその径方向に延長された端部を有するものである。
また、上記ソレノイドは、１ターンから３ターン巻回されてなり、好ましくは、約２ターンとされて形成されている。また、前記支柱を反重力方向に移動させるとき、前記支柱及び前記支柱に固着する前記係合具の操作部が通過し、前記支柱を重力方向に移動させるとき、前記支柱に固着する前記係合具の操作部が係合する内径のソレノイドであり、エキスパンドメタル網等の金網壁面材に１ターン以上係合されるものである。
【００１０】
請求項３の発明にかかる安全柵用補助金具は、略水平方向に配設される１本以上の水平ガード桟に対して、略直角に取り付けられた少なくとも２本の支柱によって、人体の落下防止の枠体を形成する。そして、係合具の操作部の両端を挟持することにより環状部を拡径し、その拡径された環状部を前記２本以上の支柱に各々嵌め込み、係合具の操作部の挟持を解くことにより、所定の弾性力で個々に前記２本以上の支柱を把持させて固着する。また、前記係合具を取り付け固着した前記２本以上の支柱を重力方向に移動させ、前記２本以上の支柱の各々に固着する前記係合具の操作部が、金網壁面材に１ターン以上係合しているソレノイドに係合させ設置状態とする。更に、前記２本以上の支柱を反重力方向に移動させ、前記支柱及び前記支柱に固着する前記係合具の操作部が前記ソレノイドの内側を通過し、前記支柱を上方に引き上げ上の段に配設したソレノイドで固定することによって上の段の施工の安全柵とする。
加えて、前記係合具は、前記支柱の１本に対して前記操作部の前記環状部からその中心軸方向の下方向に延長された１個以上を配設し、かつ、前記操作部の前記環状部からその中心軸方向の上方向に延長された１個以上を配設したものである。即ち、前記支柱の各々に対して前記操作部の前記環状部からその中心軸方向の下方向に延長された１個以上を配設したものは、前記係合具の操作部がソレノイドに係合して設置状態とするものである。また、前記操作部の前記環状部からその中心軸方向の上方向に延長された１個以上の係合具は、その作業の移行に使用するソレノイドを各支柱に予め通しておき、段数が上昇する都度、水平ガード桟を外すことなく、そのソレノイドを使用し金網壁面材に取り付けるものである。
ここで、略水平方向に配設される１本以上の水平ガード桟は、作業者が転落しないように直接人体をガードするものであり、必要な機械的強度を有するものである。それに中空の管材を使用するのは、軽量化のためであり、中実の材料が使用できないものではない。当然ながら、木材、竹材、ワイヤー等の使用も可能である。
また、水平ガード桟に対して略直角に取り付けられた支柱は、通常、少なくとも２本以上配設されるが、人体の落下防止の水平ガード桟の枠体を構成するものであり、水平ガード桟のガード幅、高さ、例えば、８５ｃｍ以上を設定している。
上記係合具の環状部は、通常、線材または板材で形成され、１ターンから３ターン巻回され、好ましくは、約２ターンに形成され、拡径されて支柱に嵌め込まれ、また、支柱を把持する機能を有するものである。上記係合具の操作部は、両端を挟持することにより環状部が拡径し、前記挟持を解くことにより、所定の弾性力で前記支柱を把持して固着するものであり、環状部の中心軸方向及びその径方向に延長された端部を有するものである。
また、上記ソレノイドは、１ターンから３ターン巻回されてなり、好ましくは、約２ターンとされて形成されている。また、前記支柱を反重力方向に移動させるとき、前記支柱及び前記支柱に固着する前記係合具の操作部が通過し、前記支柱を重力方向に移動させるとき、前記支柱に固着する前記係合具の操作部が係合する内径のソレノイドであり、エキスパンドメタル網等の金網壁面材に１ターン以上係合されるものである。
【発明の効果】
【００１１】
請求項１の発明の安全柵用補助金具は、係合具の操作部の両端を挟持することにより拡径し、その拡径された環状部を支柱に嵌め込まれ、また、前記操作部の挟持を解くことにより所定の弾性力で前記支柱に固着するものである。そして、前記係合具を固着した前記支柱を重力方向に移動させ、前記支柱に固着する前記係合具の操作部が金網壁面材に１ターン以上係合するソレノイドに係合させることによって、前記金網壁面材に沿って支柱を立てる。また、前記支柱を反重力方向に移動させ、前記支柱及び前記支柱に固着する前記係合具は前記ソレノイドの内側を通過し、前記支柱を上方に引き上げることが可能となり、上の段に配設したソレノイドで固定することができ、上層の施工時に安全柵を上昇させることができる。
したがって、この発明の安全柵用補助金具は、支柱に嵌め込まれる係合具は、環状部及び前記環状部を操作すると共にソレノイドと係合する操作部を有するものであり、線材または板材で簡単に製造することができ安価である。また、ソレノイドは１ターンから３ターン巻回しただけのものであるから、これも線材または板材で簡単に製造できる。しかも、前記ソレノイドは、施工された補強土壁の金網壁面材に取り付けられるものであるから、安全柵のための工事が不要となり、かつ、施工済みの金網壁面材に取り付けるものであるから、その機械的強度も信頼性がある。
また、金網壁面材の網目に１ターンから３ターンだけ係合させればよいことから、ソレノイドをその中心軸の周りに回転させれば簡単に係合させることができる。そして、支柱に固着される係合具は、前記ソレノイドと係合する操作部の挟持によってその環状部の径が変化するものであり、前記ソレノイドと操作部の係合が、両者の機械的強度で決定されるものであり、また、前記支柱と係合具の環状部とは、前記環状部の前記支柱に対する締め付けによって移動止めとして作用するものであるから、その接触抵抗によりその移動を完全に阻止することができる。よって、簡単な構造で安全柵を構成することができる。
更に、補強土壁の施工時に作業員が横方向に移動することにより転落する可能性が生ずるものであるから、支柱の横方向の動きは、２個以上のソレノイドに挿通されている支柱の動きが、前記ソレノイドで少なくとも１点以上で拘束されているから、前記ソレノイドの径内のガタツキが僅かに存在するだけであり、また、前記支柱間の接続も、ロープ以外の金属管、木材、竹材、ワイヤー等の使用が可能であり、作業員の横方向の移動を完全に阻止することができる。故に、施工時の作業員の安全を確保し、作業性のよい安全柵用補助金具とすることができる。
【００１２】
請求項２の発明の安全柵用補助金具は、略水平方向に配設される１本以上の水平ガード桟に対して、略直角に取り付けられた少なくとも２本の支柱で、人体の落下防止の枠体を形成する。そして、係合具の操作部の両端を挟持することにより拡径し、その拡径された環状部を支柱に嵌め込まれ、また、前記操作部の挟持を解くことにより所定の弾性力で前記支柱に固着する。前記係合具を固着した前記支柱を重力方向に移動させ、前記支柱に固着する前記係合具の操作部が金網壁面材に１ターン以上係合するソレノイドに係合させ、前記金網壁面材に沿って支柱を立てる。また、前記支柱を反重力方向に移動させ、前記支柱及び前記支柱に固着する前記係合具は前記ソレノイドの内側を通過し、前記支柱を上方に引き上げることが可能であり、上の段に配設したソレノイドで固定することができ、上層の施工時に安全柵を上昇させることができる。
したがって、この発明の安全柵用補助金具は、支柱に嵌め込まれる係合具は、環状部及び前記環状部を操作すると共にソレノイドと係合する操作部を有するものであり、線材または板材で簡単に製造することができ安価である。また、ソレノイドは１ターンから３ターン巻回しただけのものであるから、これも線材または板材で簡単に製造できる。しかも、前記ソレノイドは、施工された補強土壁の金網壁面材に取り付けられるものであるから、安全柵のための工事が不要となり、かつ、施工済みの金網壁面材に取り付けるものであるから、その機械的強度も信頼性がある。
また、金網壁面材の網目に１ターンから３ターンだけ係合させればよいことから、ソレノイドをその中心軸の周りに回転させれば簡単に係合させることができる。そして、支柱に固着される係合具は、前記ソレノイドと係合する操作部の挟持によってその環状部の径が変化するものであり、前記ソレノイドと操作部の係合が、両者の機械的強度で決定されるものであり、また、前記支柱と係合具の環状部とは、前記環状部の前記支柱に対する締め付けによって移動止めとして作用するものであるから、その接触抵抗によりその移動を完全に阻止することができる。よって、簡単な構造で安全柵を構成することができる。
更に、補強土壁の施工時に作業員が横方向に移動することにより転落する可能性が生ずるものであるから、支柱の横方向の動きは、２個以上のソレノイドに挿通されている支柱の動きが、前記ソレノイドで少なくとも１点以上で拘束されているから、前記ソレノイドの径内のガタツキが僅かに存在するだけであり、また、前記支柱間の接続も、ロープ以外の金属管、木材、竹材等の使用も可能であり、作業員の横方向の移動を完全に阻止することができる。故に、施工時の作業員の安全を確保し、作業性のよい安全柵用補助金具とすることができる。
【００１３】
請求項３の発明の安全柵用補助金具は、略水平方向に配設される１本以上の水平ガード桟に対して、略直角に取り付けられた少なくとも２本の支柱で、人体の落下防止の枠体を形成する。そして、係合具の操作部の両端を挟持することにより拡径し、その拡径された環状部を支柱に嵌め込まれ、また、前記操作部の挟持を解くことにより所定の弾性力で前記支柱に固着する。前記係合具を固着した前記支柱を重力方向に移動させ、前記支柱に固着する前記係合具の操作部が金網壁面材に１ターン以上係合するソレノイドに係合させ、前記金網壁面材に沿って支柱を立てる。また、前記支柱を反重力方向に移動させ、前記支柱及び前記支柱に固着する前記係合具は前記ソレノイドの内側を通過し、前記支柱を上方に引き上げることが可能であり、上の段に配設したソレノイドで固定することができ、上層の施工時に安全柵を上昇させることができる。
したがって、この発明の安全柵用補助金具の支柱に嵌め込まれる係合具は、環状部及び前記環状部を操作すると共にソレノイドと係合する操作部を有するものであり、線材または板材で簡単に製造することができ安価である。また、ソレノイドは１ターンから３ターン巻回しただけのものであるから、これも線材または板材で簡単に製造できる。しかも、前記ソレノイドは、施工された補強土壁の金網壁面材に取り付けられるものであるから、安全柵のための工事が不要となり、かつ、施工済みの金網壁面材に取り付けるものであるから、その機械的強度も信頼性がある。
また、金網壁面材の網目に１ターンから３ターンだけ係合させればよいことから、ソレノイドをその中心軸の周りに回転させれば簡単に係合させることができる。そして、支柱に固着される係合具は、前記ソレノイドと係合する操作部の挟持によってその環状部の径が変化するものであり、前記ソレノイドと操作部の係合が、両者の機械的強度で決定されるものであり、また、前記支柱と係合具の環状部とは、前記環状部の前記支柱に対する締め付けによって移動止めとして作用するものであるから、その接触抵抗によりその移動を完全に阻止することができる。よって、簡単な構造で安全柵を構成することができる。
更に、補強土壁の施工時に作業員が横方向に移動することにより転落する可能性が生ずるものであるから、支柱の横方向の動きは、２個以上のソレノイドに挿通されている支柱の動きが、前記ソレノイドで少なくとも１点以上で拘束されているから、前記ソレノイドの径内のガタツキが僅かに存在するだけであり、また、前記支柱間の接続も、ロープ以外の金属管、木材、竹材等の使用が可能であり、作業員の横方向の移動を完全に阻止することができる。故に、施工時の作業員の安全を確保し、作業性のよい安全柵用補助金具とすることができる。
加えて、前記係合具は、前記支柱の１本に対して前記操作部の前記環状部からその中心軸方向の下方向に延長された１個以上を配設し、かつ、前記操作部の前記環状部からその中心軸方向の上方向に延長された１個以上を配設したものである。即ち、前記支柱の各々に対して前記操作部の前記環状部からその中心軸方向の下方向に延長された１個以上を配設したものは、前記係合具の操作部がソレノイドに係合して設置状態とするものである。また、前記操作部の前記環状部からその中心軸方向の上方向に延長された１個以上の係合具は、その作業の移行に使用するソレノイドを各支柱に予め通しておき、段数が上昇する都度、水平ガード桟を外すことなく、そのソレノイドを使用し金網壁面材に取り付けるものである。
【図面の簡単な説明】
【００１４】
【図１】図１は本発明の実施の形態１の安全柵用補助金具に使用する係合具の種類を示す斜視図である。
【図２】図２は本発明の実施の形態１の安全柵用補助金具に使用する係合具を支柱に取り付ける状態を説明する取り付け動作の要部斜視図である。
【図３】図３は本発明の実施の形態１の安全柵用補助金具に使用するソレノイドを金網壁面材に取り付ける状態を説明する取り付け動作の要部斜視図である。
【図４】図４は本発明の実施の形態１の安全柵用補助金具に使用する支柱に取り付けた係合具とソレノイドとの取り付け動作を説明する要部斜視図である。
【図５】図５は本発明の実施の形態１の安全柵用補助金具に使用する金網壁面材、ソレノイドとの関係を説明する要部斜視図である。
【図６】図６は本発明の実施の形態１の安全柵用補助金具の組み付け状態を示す要部斜視図である。
【図７】図７は本発明の実施の形態１の安全柵用補助金具の使用状態を示す要部斜視図である。
【図８】図８は本発明の実施の形態１の安全柵用補助金具の上段に移動する工程を説明する説明図である。
【図９】図９は本発明の実施の形態１の安全柵用補助金具のソレノイドの取り付け工程を説明する要部斜視図である。
【図１０】図１０は本発明の実施の形態２の安全柵用補助金具の使用状態を示す補強土壁の断面の概念図である。
【発明を実施するための形態】
【００１５】
以下、本発明の実施の形態について、図面に基づいて説明する。なお、実施の形態において、図示の同一記号及び同一符号は、同一または相当する機能部分であるから、ここではその重複する説明を省略する。
【００１６】
本発明の実施の形態１の安全柵用補助金具について、図１を参照して説明する。
図１及び図２において、４ｍｍφの金属性の弾性材料からなる線材で形成した係合具１０は、拡径されて支柱３０に嵌め込まれる１ターン以上、３ターン以下に巻回してなる支柱３０の直径よりも若干小径に形成した環状部１１、並びに両端部１２,１３を挟持することにより環状部１１が拡径し、その挟持力を解くことにより、所定の弾性力で支柱３０を把持して固着する環状部１１からその中心軸方向及びその径方向に延長された操作部１４を有している。
【００１７】
特に、図１（ａ）の操作部１４は、環状部１１からその径方向に延長された径方向に直線状また若干下方の角度β（β＝約１０乃至２０度）に引き出した径方向直線部分１３ａ及び径方向直線部分１４ａと、前記環状部１１に連続している径方向直線部分１３ａまたは径方向直線部分１４ａから中心軸方向に延びた軸方向延長部分１３ｂまたは軸方向延長部分１４ｂを有している。即ち、径方向直線部分１３ａ及び軸方向延長部分１３ｂと径方向直線部分１４ａ及び軸方向延長部分１４ｂは本実施の形態１の操作部１４を構成している。
【００１８】
したがって、軸方向延長部分１３ｂと軸方向延長部分１４ｂを指で両者間が近付くように挟持すると、径方向直線部分１３ａがその外周を引き延ばすように作用し、環状部１１の内径を大きくし、支柱３０に対する嵌め込み、離脱が可能になる。即ち、軸方向延長部分１３ｂが環状部１１の中心軸に対して、当該中心軸を中心として角度αが１２０度以内（α＝約６０から１２０度）に軸方向延長部分１３ｂと軸方向延長部分１４ｂを配設しているので、両軸方向延長部分１３ｂと軸方向延長部分１４ｂの間隔を狭めるだけで、環状部１１の径を拡大することができる。
【００１９】
この時、環状部１１の巻き数を多くすると、環状部１１の径の変化が少なくなる。しかし、環状部１１の巻き数は支柱３０を把持する力に影響するので、支柱３０の径との把持力との関係で決定する必要がある。通常は環状部１１の巻き数は１ターンから３ターンに選択される。特に、環状部１１の巻き数は２ターンとすると支柱３０を把持するのが２重となるので、環状部１１の中心軸が明確になり、支柱３０に対する取り付け状態が特定され、後述する操作が容易になる。
【００２０】
図１（ｂ）の操作部１４は、図１（ａ）の操作部１４の環状部１１からその径方向に延長された径方向に直線状また若干下方の角度β（β＝（約１０乃至２０度）に引き出した径方向直線部分１３ａ及び径方向直線部分１４ａを湾曲させて、前記環状部１１から連続して湾曲させ、両端部１２,１３までを環状部１１の中心軸方向に延びた延長部分１３ｄまたは延長部分１４ｄとしている。即ち、延長部分１３ｄまたは延長部分１４ｄは本実施の形態１の操作部１４を構成している。
したがって、本実施の形態１の操作部１４の操作も、図１（ａ）の操作部１４と同様に機能する。
【００２１】
図１（ｃ）の操作部１４は、図１（ａ）の操作部１４の環状部１１からその径方向に延長された直線状で下方の角度γ（γ＝（約３０乃至６０度）に引き出した両端部１２,１３までを直線部分１３ｅ及び直線部分１４ｅで形成している。即ち、直線部分１３ｅまたは直線部分１４ｅは本実施の形態１の操作部１４を構成している。
したがって、本実施の形態１の操作部１４の操作も、図１（ａ）の操作部１４と同様に機能する。
【００２２】
このように、係合具１０は、操作部１４を指で両者間が近付くように挟持すると、環状部１１の外周を引き延ばすように作用し、環状部１１の内径を大きくなり、支柱３０に対する嵌め込み、離脱が可能になる。即ち、軸方向延長部分１３ｂが環状部１１の中心軸に対して、当該中心軸を中心として角度α＝１２０度以内に両操作部１４が配設されているので、両操作部１４の間隔を狭めるだけで、環状部１１の径を拡大することができる。
したがって、図２（ａ）乃至（ｃ）に示すように、支柱３０、例えば、４８．６ｍｍに内径４８ｍｍの係合具１０の環状部１１を把持させることができる。
【００２３】
図３において、６ｍｍφの金属性の弾性材料からなる線材で形成したソレノイド５０は、支柱３０を重力方向または反重力方向に移動させるとき、支柱３０及び支柱３０に固着した係合具１０の操作部１４が通過する断面（内径１００ｍｍ以上）を有するものである。厳格には、支柱３０を重力方向に移動させるとき、支柱３０及び支柱３０に固着する係合具１０の操作部１４がソレノイド５０を挿通できる径には、金網壁面材４０の桟部分４１に１ターン以上係合する個所となり、ソレノイド５０の径は、支柱３０及び支柱３０に固着する係合具１０の操作部１４及び金網壁面材４０の桟部分４１を含む断面を通過するものである。
【００２４】
このソレノイド５０は、１ターンから３ターン巻回される。特に、ソレノイド５０の巻き数は図３に示すように２ターン以上とすると、金網壁面材４０の桟部分４１に２〜３本係合することになるので、環状部１１の中心軸が安定し、支柱３０に対する取り付け状態が特定され、後述する操作が安定する。即ち、ソレノイド５０の巻き数が１ターンでは、支柱３０に加えられる風、作業員の触れ、圧土の振動等による動きが伝わると、ソレノイド５０が金網壁面材４０の桟部分４１から離れる場合が生ずる。したがって、ソレノイド５０の巻き数は１．５ターン、特に、２ターン以上が望ましい。３ターン以上になると、本来は網壁面材４０の桟部分４１との係合にソレノイド５０の軸中心に３回転以上が必要となり、作業効率が低下するので、２〜３ターンが好適である。しかし、３ターン以上としても、網壁面材４０の桟部分４１との係合を２〜３ターンとすることもできる。
【００２５】
図４に示すように、金網壁面材４０の桟部分４１にソレノイド５０が取り付けられる。その取り付けられたソレノイド５０の中心軸方向に係合具１０が取り付けられた支柱３０が嵌め込まれる。係合具１０の操作部１４を金網壁面材４０の反対側に位置するようにして、重力方向に移動すると、ソレノイド５０の金網壁面材４０の反対側は金網壁面材４０の桟部分４１側よりも若干下方に位置しているから、支柱３０の嵌め込みにより、係合具１０がソレノイド５０の位置まで下降する。ここで、係合具１０には操作部１４が突出しているから、その操作部１４がソレノイド５０の周囲から食み出しソレノイド５０の周囲を支柱３０と係合具１０の操作部１４で挟み込む。
即ち、重力方向に支柱３０を移動する場合には、支柱３０に取り付けた係合具１０の操作部１４が下方に開いているからソレノイド５０の周囲に係合するが、反重力方向に支柱３０を移動する場合には、支柱３０に取り付けた係合具１０の操作部１４が下方向に伸びているから、ソレノイド５０の周囲に係合することなく移動できる。
【００２６】
ソレノイド５０の周囲を支柱３０と係合具１０の操作部１４で挟み込むと、係合具１０の環状部１１は一方が金網壁面材４０の桟部分４１に係合しているから、支柱３０の下降を防止する。特に、係合具１０の環状部１１は支柱３０を把持しており、結果、ソレノイド５０で係合具１０の操作部１４と支柱３０の取り付け位置が、支柱３０の下降を停止する。したがって、支柱３０は係合具１０の取り付け位置で下降が停止される。しかし、支柱３０の重量が係合具１０を介してソレノイド５０に伝わるから、ソレノイド５０の金網壁面材４０の反対側が金網壁面材４０側に近づき、支柱３０は金網壁面材４０と接触し、そこで安定する。
【００２７】
したがって、ソレノイド５０が上下の２個所で支柱３０が貫通する構成とすれば、一方のソレノイド５０を係合具１０の操作部１４と支柱３０で挟持する位置が支点となり、他方のソレノイド５０と支柱３０の径差が、ガタ付範囲となる。しかし、支柱３０は金網壁面材４０と接触するので、金網壁面材４０に対して直角方向へは、ガタ付範囲が少なくなる。もちろん、支柱３０に２個以上の係合具１０を配設し、２個以上のソレノイド５０と係合させると、よりガタツキを少なくすることができる。ただし、支柱３０を引き上げる際に、２個以上の係合具１０がソレノイド５０との係合を解き、かつ、２個以上のソレノイド５０を同時に挿通させる必要性があるので扱い難くなる。
【００２８】
次に、組み付けについて具体的な事例で説明する。なお、この補強土壁施工は、その構成部品を販売するメーカによって製品構造が異なり、施工方法も異なる。したがって、次に説明するのは、特定のメーカの販売による材料を使用した場合の事例である。
図５に示すように、所定の敷設長に切断したジオテキスタイル補強材からなる補強材６１の端部を、所定の長さで折り返し、その折り返しに連結棒６２を通す。次に、鋼製壁面材６３の下部にその連結棒６２を所定の位置に挿入し、斜タイ材６５の下部側のフックを掛けて両者を固定する。また、鋼製壁面材６３の立ち上がり部分６３Ａには、内側に植生マット６４をあてる。そして、連結棒６２と鋼製壁面材６３の立ち上がり部分６３Ａとの間には、斜タイ材６５の上部側のフックを引っ掛けて鋼製壁面材６３の立ち上がり部分６３Ａを所定の角度に設定し、同時に、鋼製壁面材６３の立ち上がり部分６３Ａと連結棒６２とを機械的に連結する。
なお、本実施の形態において、補強土壁施工方法のうち、金網壁面材４０については本願発明に関係するものの、土中に埋まる構造は直接的な関係がないことであり、金網壁面材４０が堅固に施工されておれば補強土壁施工方法の何れを採用してもよい。
【００２９】
通常、最下層、１段目の層の鋼製壁面材６３の立ち上がり部分６３Ａから、その上の層を造成する際の保持用として、所定の高さに必要数のソレノイド５０a1，５０b1を配設しておく。
そして、補強材６１の上に盛り土を広げるとともに、鋼製壁面材６３の植生マット６４側にも盛り土を広げ、１段目の層、２段目の層を形成する。２段目についても、所定の高さに必要数のソレノイド５０a2，５０b2を取り付けておく。
【００３０】
図６に示すように、２段目、３段目の積載が完了し、４段目の盛り土作業に入るには、概ね１．８ｍの安全柵を設置する高さになっているとする。３段目についても、所定の高さに必要数のソレノイド５０a3，５０b3を取り付けておく。そして、これらのソレノイド５０a1からソレノイド５０a3及びそれのソレノイド５０b1からソレノイド５０b3は、上下関係において支柱３０が挿入できるように、一直線状に配置する。
【００３１】
次に、３段目完了後、２本の支柱３０との間に１本の水平ガード桟３１または２本の水平ガード桟３１と水平ガード桟３２を配設した枠体を、ソレノイド５０a1からソレノイド５０b1の間隔と略等しくなるように、取り付け具３３または取り付け具３３と取り付け具３４で２本の支柱３０と１本の水平ガード桟３１または２本の水平ガード桟３１と水平ガード桟３２を配設する。図６の実施の形態１では、２本の水平ガード桟３１と水平ガード桟３２を用いているが、１本の水平ガード桟３１とすることもできる。逆に、中桟を設けて、３本の水平ガード桟とすることもできる。このガード桟については、支柱３０と同一材料とすることもできるし、竹材、杉材、ワイヤー等を使用することもできる。
即ち、２本の支柱３０と２本の水平ガード桟３１,３２は、略鳥居状の枠体の形状となる。
【００３２】
２本の支柱３０に対して係合具１０は、最上段の３段目のソレノイド５０a3またはソレノイド５０b3を支柱３０の操作部１４と各支柱３０の間で挟むようにする。即ち、３段目のソレノイド５０a3またはソレノイド５０b3を係合具１０の操作部１４と各支柱３０の間で挟んだことにより、各支柱３０の落下を防止している。
なお、このとき、各支柱３０に対して係合具１０を２重または３重にすることもできる。このように、係合具１０を２重または３重に配設するとその信頼性が高くすることができる。特に、１重で信頼性は確保できるが、それ以上の信頼性を高める際には、２重、３重にすることができるが、支柱３０の引き上げが難しくなるから、１個または２個の使用が望ましい。
【００３３】
特に、本実施の形態１では、３段目のソレノイド５０a3またはソレノイド５０b3を係合具１０の操作部１４と各支柱３０の間で挟む以外に、２本目の水平ガード桟３２の下部で、ソレノイド５０a3またはソレノイド５０b3を各支柱３０の間で挟む係合具１０とは別に、操作部１４の突出方向を上にした係合具１０を取り付ける。この係合具１０は、爾後使用するソレノイド５０をストックし、各支柱３０を上昇させ移設するときに、両支柱３０を一旦ソレノイド５０から抜き取り、再度挿入し直すという煩わしさをなくすものであり、係合具１０の操作部１４が上側に伸びており、支柱３０と操作部１４との間に間隔が形成されるから、そこに複数のソレノイド５０を引っ掛けて置くことにより、両支柱３０を一旦ソレノイド５０から抜き取ることなく対応できる。
【００３４】
即ち、水平ガード桟３１，３２及び両支柱３０を引き上げる際に、特定の個所まで引き上げたところで、係合具１０の操作部１４が保持しているソレノイド５０の１個を外し、それを金網壁面材４０の係合具１０の対応する位置に取り付ける。それを両側の支柱３０の係合具１０に対応してソレノイド５０を取り付ける。
したがって、水平ガード桟３１，３２及び両支柱３０を１段引き上げるのみで、次の段の施工を行うことができる。
【００３５】
本実施の形態１において、図６は３段目までの施工が終了し、４段目を施工する前に水平ガード桟３１，３２及び両支柱３０を設置し、３段目に配設したソレノイド５０に係合具１０の操作部１４を引っ掛ける直前の状態を示している。図７は水平ガード桟３１，３２及び両支柱３０を引き上げた結果、４段目の施工に入る状態の水平ガード桟３１，３２からなる安全柵の位置状態を示すものである。図示の状態では、４段目の施工基面から８５〜１４５ｃｍの高さに水平ガード桟３２の位置を設定し、設置する。
【００３６】
４段目の施工が進行したとき、図８に示すように、４段目に係合具１０の操作部１４の位置に対応した位置にソレノイド５０を取り付け、４段目の施工が完了し、図９に示すように、次の５段目の施工に入る直前の状態の水平ガード桟３１，３２からなる安全柵の位置とするものである。
なお、ソレノイド５０a1〜５０a4またはソレノイド５０b1〜５０a4は、施工後、順次下からまたは上から取り外してもよいが、通常、その状態で放置される。
【００３７】
このように、本実施の形態１の安全柵用補助金具は、図１乃至図４に示すように、拡径されて支柱３０に嵌め込まれる環状部１１、挟持することにより拡径し、前記挟持を解くことにより、所定の弾性力で支柱３０を把持して固着する、環状部１１からその中心軸方向及びその径方向に延長された操作部１４を有する係合具１０と、支柱３０を反重力方向に移動させるとき、支柱３０及び支柱３０に固着する係合具１０の操作部１４が通過し、支柱３０を重力方向に移動させるとき、支柱３０に固着する係合具１０の操作部１４が係合する径を有する金網壁面材４０に１ターン以上係合するソレノイド５０を具備するものである。
【００３８】
本実施の形態１の安全柵用補助金具は、係合具１０の操作部１４を挟持することにより拡径し、その拡径された環状部１１を支柱３０に嵌め込み、また、操作部１４の挟持を解くことにより所定の弾性力で支柱３０に固着するものである。そして、係合具１０を固着した支柱３０を重力方向に移動させ、支柱３０に固着する係合具１０の操作部１４が金網壁面材４０に１ターン以上係合するソレノイド５０に係合させることによって、金網壁面材４０に沿って支柱３０を立てる。また、支柱３０を反重力方向に移動させ、支柱３０及び支柱３０に固着する係合具１０はソレノイド５０の内側を通過し、支柱３０を上方に引き上げることが可能となり、上の段に配設したソレノイド５０で固定することができ、上層の施工時に安全柵を上昇させることができる。
【００３９】
したがって、本実施の形態１の安全柵用補助金具は、支柱３０に嵌め込まれる係合具１０は、環状部１１及び環状部１１を操作すると共にソレノイド５０と係合する操作部１４を有するものであり、線材または板材で簡単に製造することができ安価である。また、ソレノイド５０は１ターンから３ターン巻回しただけのものであるから、これも線材または板材で簡単に製造できる。しかも、ソレノイド５０は、施工された補強土壁の金網壁面材４０に取り付けられるものであるから、安全柵のための工事が不要となり、かつ、施工済みの金網壁面材４０に取り付けるものであるから、その機械的強度も信頼性がある。
【００４０】
また、金網壁面材４０の網目に１ターンから３ターンだけ係合させればよいことから、ソレノイド５０をその中心軸の周りに回転させれば簡単に係合させることができる。そして、支柱３０に固着される係合具１０は、ソレノイド５０と係合する操作部１４の挟持によってその環状部１１の径が変化するものであり、ソレノイド５０と操作部１４の係合が、両者の機械的強度で決定されるものであり、また、支柱３０と係合具１０の環状部１１とは、環状部１１の支柱３０に対する締め付けによって移動止めとして作用するものであるから、その接触抵抗によりその移動を阻止することができる。よって、簡単な構造で安全柵を構成することができる。
【００４１】
更に、補強土壁の施工時に作業員が横方向に移動することにより転落する可能性が生ずるものであるから、支柱３０の横方向の動きは、２個以上のソレノイド５０に挿通されている支柱３０の動きが、ソレノイド５０で少なくとも１点以上で拘束されているから、ソレノイド５０の径内のガタツキが僅かに存在するだけであり、また、支柱３０間の接続も、ロープ以外の金属管、木材、竹材等の使用が可能であり、作業員の横方向の移動を完全に阻止することができる。故に、施工時の作業員の安全を確保し、作業性のよい安全柵用補助金具とすることができる。
【００４２】
本実施の形態１の安全柵用補助金具は、係合具１０の環状部１１は、通常、線材または板材で形成され、１ターンから３ターン巻回され、好ましくは、約２ターンに形成され、拡径されて支柱３０に嵌め込まれ、また、支柱３０を把持する機能を有するものである。係合具１０の操作部１４は、両端部１２,１３に至る間を挟持することにより環状部１１が拡径し、前記挟持を解くことにより、所定の弾性力で支柱３０を把持して固着するものであり、環状部１１の中心軸方向及びその径方向に延長された端部１２,１３を有するものである。
また、上記ソレノイド５０は、１ターンから３ターン巻回されてなり、好ましくは、約２ターンとされて形成されている。また、支柱３０を反重力方向に移動させるとき、支柱３０及び支柱３０に固着する係合具１０の操作部１４が通過し、支柱３０を重力方向に移動させるとき、支柱３０に固着する係合具１０の操作部１４が係合する内径のソレノイド５０であり、エキスパンドメタル網等の金網壁面材４０に１ターン以上係合されるものである。
【００４３】
また、上記実施の形態１の安全柵用補助金具は、図１乃至図１０に示す構成とすることもできる。即ち、略水平方向に配設される１本以上の水平ガード桟３１，３２と、水平ガード桟３１，３２に対して略直角に取り付けられ、垂直に配設される少なくとも２本以上の支柱３０と、拡径されて各支柱３０に嵌め込まれる操作部１４、並びに両端部１２,１３を挟持することにより拡径し、前記挟持を解くことにより、所定の弾性力で金網壁面材４０を把持して固着する環状部１１からその中心軸方向及びその径方向に延長された操作部１４を有する係合具１０と、各支柱３０を反重力方向に移動させるとき、各支柱３０及び各支柱３０に固着する係合具１０の操作部１４が通過し、支柱３０を重力方向に移動させるとき、各支柱３０に固着する係合具１０の操作部１４が係合する径を有する金網壁面材４０に１ターン以上係合するソレノイド５０を具備し、係合具１０は１本の支柱３０に対して１個以上配設し、ソレノイド５０は１本の支柱３０に対して２個以上配設した発明としたものである。この実施の形態１では、ソレノイド５０を手持ちとし、水平ガード桟３１，３２の引き上げの際に、それを金網壁面材４０に係合させることになる。
【００４４】
上記安全柵用補助金具は、略水平方向に配設される１本以上の水平ガード桟３１，３２に対して、略直角に取り付けられた少なくとも２本の支柱３０で、人体の落下防止の枠体を形成する。そして、係合具１０の操作部１４を挟持することにより拡径し、その拡径された環状部１１を支柱３０に嵌め込み、また、操作部１４の挟持を解くことにより所定の弾性力で支柱３０に固着する。係合具１０を固着した支柱３０を重力方向に移動させ、支柱３０に固着する係合具１０の操作部１４が金網壁面材４０に１ターン以上係合するソレノイド５０に係合させ、金網壁面材４０に沿って支柱３０を立てる。また、支柱３０を反重力方向に移動させ、支柱３０及び支柱３０に固着する係合具１０はソレノイド５０の内側を通過し、支柱３０を上方に引き上げることが可能であり、上の段に配設したソレノイド５０で固定することができ、上層の施工時に安全柵を上昇させることができる。
したがって、この発明の安全柵用補助金具は、支柱３０に嵌め込まれる係合具１０は、環状部１１及び環状部１１を操作すると共にソレノイド５０と係合する操作部１４を有するものであり、線材または板材で簡単に製造することができ安価である。また、ソレノイド５０は１ターンから３ターン巻回しただけのものであるから、これも線材または板材で簡単に製造できる。しかも、ソレノイド５０は、施工された補強土壁の金網壁面材４０に取り付けられるものであるから、安全柵のための工事が不要となり、かつ、施工済みの金網壁面材４０に取り付けるものであるから、その機械的強度も信頼性がある。
【００４５】
また、金網壁面材４０の網目に１ターンから３ターンだけ係合させればよいことから、ソレノイド５０をその中心軸の周りに回転させれば簡単に係合させることができる。そして、支柱３０に固着される係合具１０は、ソレノイド５０と係合する操作部１４の挟持によってその環状部１１の径が変化するものであり、ソレノイド５０と操作部１４の係合が、両者の機械的強度で決定されるものであり、また、支柱３０と係合具１０の環状部１１とは、環状部１１の支柱３０に対する締め付けによって移動止めとして作用するものであるから、その接触抵抗によりその移動を完全に阻止することができる。よって、簡単な構造で安全柵を構成することができる。
【００４６】
更に、補強土壁の施工時に作業員が横方向に移動することにより転落する可能性が生ずるものであるから、支柱３０の横方向の動きは、２個以上のソレノイド５０に挿通されている支柱３０の動きが、ソレノイド５０で少なくとも１点以上で拘束されているから、ソレノイド５０の径内のガタツキが僅かに存在するだけであり、また、支柱３０間の接続も、ロープ以外の金属管、木材、竹材等の使用も可能であり、作業員の横方向の移動を完全に阻止することができる。故に、施工時の作業員の安全を確保し、作業性のよい安全柵用補助金具とすることができる。
【００４７】
本実施の形態１の安全柵用補助金具は、略水平方向に配設される１本以上の水平ガード桟３１，３２に対して、略直角に取り付けられた少なくとも２本の支柱３０によって、人体の落下防止の枠体を形成する。そして、係合具１０の操作部１４を挟持することにより環状部１１を拡径し、その拡径された環状部１１を前記２本以上の支柱３０に各々嵌め込み、係合具１０の操作部１４の挟持を解くことにより、所定の弾性力で個々に前記２本以上の支柱３０を把持させて固着する。また、係合具１０を取り付け固着した前記２本以上の支柱３０を重力方向に移動させ、前記２本以上の支柱３０の各々に固着する係合具１０の操作部１４が、金網壁面材４０に１ターン以上係合しているソレノイド５０に係合させ設置状態とする。更に、前記２本以上の支柱３０を反重力方向に移動させ、支柱３０及び支柱３０に固着する係合具１０の操作部１４がソレノイド５０の内側を通過し、支柱３０を上方に引き上げ上の段に配設したソレノイド５０で固定することによって上の段の施工の安全柵とする。
【００４８】
ここで、略水平方向に配設される１本以上の水平ガード桟３１，３２は、作業者が転落しないように直接人体をガードするものであり、必要な機械的強度を有するものである。それに中空の管材を使用するのは、軽量化のためであり、中実の材料が使用できないものではない。また、木材、竹材等の使用も可能である。
また、水平ガード桟３１，３２に対して略直角に取り付けられた支柱３０は、通常、少なくとも２本以上配設されるが、人体の落下防止の水平ガード桟３１，３２の枠体を構成するものであり、水平ガード桟３１，３２のガード幅、高さを設定している。
【００４９】
上記係合具１０の操作部１４は、通常、線材または板材で形成され、１ターンから３ターン巻回され、好ましくは、約２ターンに形成され、拡径されて支柱３０に嵌め込まれ、また、支柱３０を把持する機能を有するものである。上記係合具１０の操作部１４を挟持することにより環状部１１が拡径し、前記挟持を解くことにより、所定の弾性力で支柱３０を把持して固着するものであり、環状部１１の中心軸方向及びその径方向に延長された端部を有するものである。
また、上記ソレノイド５０は、１ターンから３ターン巻回されてなり、好ましくは、約２ターンとされて形成されている。また、支柱３０を反重力方向に移動させるとき、支柱３０及び支柱３０に固着する係合具１０の操作部１４が通過し、支柱３０を重力方向に移動させるとき、支柱３０に固着する係合具１０の操作部１４が係合する内径のソレノイド５０であり、エキスパンドメタル網等の金網壁面材に１ターン以上係合されている。
【００５０】
また、上記実施の形態１の安全柵用補助金具は、図１乃至図１０に示すような構成とすることもできる。即ち、略水平方向に配設される１本以上の水平ガード桟３１，３２と、水平ガード桟３１，３２に対して略直角に取り付けられ、垂直に配設される少なくとも２本の支柱３０と、拡径されて支柱３０に嵌め込まれる環状部１１、並びに操作部１４を挟持することにより拡径し、前記挟持を解くことにより、所定の弾性力で支柱３０を把持して固着する環状部１１からその中心軸方向及びその径方向に延長された操作部１４を有する係合具１０と、支柱３０を反重力方向に移動させるとき、支柱３０及び支柱３０に固着する係合具１０の操作部１４が通過し、支柱３０を重力方向に移動させるとき、支柱３０に固着する係合具１０の操作部１４が係合する径を有する金網壁面材４０に１ターン以上係合するソレノイド５０を具備し、係合具１０は、支柱３０の１本に対して操作部１４の環状部１１からその中心軸方向の下方向に延長された１個以上を配設し、かつ、操作部１４の環状部１１からその中心軸方向の上方向に延長された１個以上を配設し、また、ソレノイド５０は１本の支柱３０に対して２個以上配設した発明とすることができる。この実施の形態１では、ソレノイド５０を先に係合具１０の操作部１４に保持させておき、水平ガード桟３１，３２の引き上げの際に、支柱３０に沿って移動させ、それを金網壁面材４０に係合させることになる。
【００５１】
本実施の形態１の安全柵用補助金具は、略水平方向に配設される１本以上の水平ガード桟３１，３２に対して、略直角に取り付けられた少なくとも２本の支柱３０で、人体の落下防止の枠体を形成する。そして、係合具１０の操作部１４を挟持することにより拡径し、その拡径された環状部１１を支柱３０に嵌め込み、また、操作部１４の挟持を解くことにより所定の弾性力で支柱３０に固着する。係合具１０を固着した支柱３０を重力方向に移動させ、支柱３０に固着する係合具１０の操作部１４が金網壁面材４０に１ターン以上係合するソレノイド５０に係合させ、金網壁面材４０に沿って支柱３０を立てる。また、支柱３０を反重力方向に移動させ、支柱３０及び支柱３０に固着する係合具１０はソレノイド５０の内側を通過し、支柱３０を上方に引き上げることが可能であり、上の段に配設したソレノイド５０で固定することができ、上層の施工時に安全柵を上昇させることができる。
【００５２】
したがって、この発明の安全柵用補助金具は、支柱３０に嵌め込まれる係合具１０は、環状部１１及び環状部１１を操作すると共にソレノイド５０と係合する操作部１４を有するものであり、線材または板材で簡単に製造することができ安価である。また、ソレノイド５０は１ターンから３ターン巻回しただけのものであるから、これも線材または板材で簡単に製造できる。しかも、ソレノイド５０は、施工された補強土壁の金網壁面材４０に取り付けられるものであるから、安全柵のための工事が不要となり、かつ、施工済みの金網壁面材４０に取り付けるものであるから、その機械的強度も信頼性がある。
【００５３】
また、金網壁面材４０の網目に１ターンから３ターンだけ係合させればよいことから、ソレノイド５０をその中心軸の周りに回転させれば簡単に係合させることができる。そして、支柱３０に固着される係合具１０は、ソレノイド５０と係合する操作部１４の挟持によってその環状部の径が変化するものであり、ソレノイド５０と操作部１４の係合が、両者の機械的強度で決定されるものであり、また、支柱３０と係合具１０の環状部１１とは、環状部１１の支柱３０に対する締め付けによって移動止めとして作用するものであるから、その接触抵抗によりその移動を完全に阻止することができる。よって、簡単な構造で安全柵を構成することができる。
【００５４】
更に、補強土壁の施工時に作業員が横方向に移動することにより転落する可能性が生ずるものであるから、支柱３０の横方向の動きは、２個以上のソレノイド５０に挿通されている支柱３０の動きが、ソレノイド５０で少なくとも１点以上で拘束されているから、ソレノイド５０の径内のガタツキが僅かに存在するだけであり、また、支柱３０間の接続も、ロープ以外の金属管、木材、竹材等の使用も可能であり、作業員の横方向の移動を完全に阻止することができる。故に、施工時の作業員の安全を確保し、作業性のよい安全柵用補助金具とすることができる。
【００５５】
加えて、係合具１０は、支柱３０の１本に対して操作部１４の環状部１１からその中心軸方向の下方向に延長された１個以上を配設し、かつ、操作部１４の環状部１１からその中心軸方向の上方向に延長された１個以上を配設したものである。即ち、支柱３０の各々に対して操作部１４の環状部１１からその中心軸方向の下方向に延長された１個以上を配設したものは、係合具１０の操作部１４がソレノイド５０に係合して設置状態とするものである。また、操作部１４の環状部１１からその中心軸方向の上方向に延長された１個以上の係合具１０は、その作業の移行に使用するソレノイド５０を各支柱３０に予め通しておき、段数が上昇する都度、水平ガード桟３１，３２を外すことなく、そのソレノイド５０を使用し金網壁面材４０に取り付けるものである。
【００５６】
ここで、本実施の形態１の安全柵用補助金具は、略水平方向に配設される１本以上の水平ガード桟３１，３２に対して、略直角に取り付けられた少なくとも２本の支柱３０によって、人体の落下防止の枠体を形成する。そして、係合具１０の操作部１４を挟持することにより環状部１１を拡径し、その拡径された環状部１１を前記２本以上の支柱３０に各々嵌め込み、係合具１０の操作部１４の挟持を解くことにより、所定の弾性力で個々に前記２本以上の支柱３０を把持させて固着する。また、係合具１０を取り付け固着した前記２本以上の支柱３０を重力方向に移動させ、前記２本以上の支柱３０の各々に固着する係合具１０の操作部１４が、金網壁面材４０に１ターン以上係合しているソレノイド５０に係合させ設置状態とする。更に、前記２本以上の支柱３０を反重力方向に移動させ、支柱３０及び支柱３０に固着する係合具１０の操作部１４がソレノイド５０の内側を通過し、支柱３０を上方に引き上げ上の段に配設したソレノイド５０で固定することによって上の段の施工の安全柵とする。
【００５７】
加えて、係合具１０は、支柱３０の１本に対して操作部１４の環状部１１からその中心軸方向の下方向に延長された１個以上を配設し、かつ、操作部１４の環状部１１からその中心軸方向の上方向に延長された１個以上を配設したものである。即ち、支柱３０の各々に対して操作部１４の環状部１１からその中心軸方向の下方向に延長された１個以上を配設したものは、係合具１０の操作部１４がソレノイド５０に係合して設置状態とするものである。また、操作部１４の環状部１１からその中心軸方向の上方向に延長された１個以上の係合具１０は、その作業の移行に使用するソレノイド５０を各支柱３０に予め通しておき、段数が上昇する都度、水平ガード桟３１，３２を外すことなく、そのソレノイド５０を使用し金網壁面材４０に取り付けるものである。
【００５８】
ここで、略水平方向に配設される１本以上の水平ガード桟３１，３２は、作業者が転落しないように直接人体をガードするものであり、必要な機械的強度を有するものである。それに中空の管材を使用するのは、軽量化のためであり、中実の材料が使用できないものではない。また、木材、竹材等の使用も可能である。
また、水平ガード桟３１，３２に対して略直角に取り付けられた支柱３０は、通常、少なくとも２本以上配設されるが、人体の落下防止の水平ガード桟３１，３２の枠体を構成するものであり、水平ガード桟３１，３２のガード幅、高さを設定している。
【００５９】
上記係合具１０の環状部１１は、通常、線材または板材で形成され、１ターンから３ターン巻回され、好ましくは、約２ターンに形成され、拡径されて支柱３０に嵌め込み、また、支柱３０を把持する機能を有するものである。上記係合具１０の操作部１４は、操作部１４を挟持することにより環状部１１が拡径し、前記挟持を解くことにより、所定の弾性力で支柱３０を把持して固着するものであり、環状部１１の中心軸方向及びその径方向に延長された両端部１２,１３を有するものである。
また、上記ソレノイド５０は、１ターンから３ターン巻回されてなり、好ましくは、約２ターンとされて形成されている。また、支柱３０を反重力方向に移動させるとき、支柱３０及び支柱３０に固着する係合具１０の操作部１４が通過し、支柱３０を重力方向に移動させるとき、支柱３０に固着する係合具１０の操作部１４が係合する内径のソレノイド５０であり、エキスパンドメタル網等の金網壁面材４０に１ターン以上係合されるものである。
【００６０】
上記実施の形態１については、補強土壁が１：０〜１：０．３の範囲の傾斜角度に適用することを前提としたものであるが、０．５以上の傾斜角度になると、作業範囲に支柱３０の上端が突出し、作業の邪魔になる。このように、傾斜角度の大きいものには、支柱３０の上部の８５ｃｍ乃至１５０ｃｍを垂直になるように曲げておくと、補強土作業の作業性に影響を与えることなく安全性が確保できる。
即ち、図１０に示す実施の形態２では、支柱３０の上部の８５ｃｍ乃至１５０ｃｍの範囲を曲げ部３０Ａとしてベンダー等で湾曲させるか、或いは端部を溶接し、曲げによって生じた曲げ部３０Ａが垂直になるように設定したものである。他の構成及び部品の使用方法は、実施の形態１と相違するものではないので、その説明を省略する。
【００６１】
本実施の形態２については、曲げ部３０Ａを有する２本の支柱３０に、それら支柱３０相互間の曲げ部３０Ａの間に１本の水平ガード桟３１または２本の水平ガード桟３１と水平ガード桟３２を配設した枠体、即ち、２本の支柱３０と２本の水平ガード桟３１,３２は、略鳥居状の形状となった枠体において、ソレノイド５０a1〜５０a4、ソレノイド５０b1〜５０b4の間隔とが略等しくなるように、両側の支柱３０に両係合具１０を固着しておけば、上記実施の形態１と同様に使用できる。
また、その作業性も２本の支柱３０、１本の水平ガード桟３１または２本の水平ガード桟３１,３２が邪魔になることがない。
好ましい曲げ部３０Ａの曲げ角度θは、θ＝９０−補強土壁面角度となるが、実際の現場では、垂直に対して−５〜＋２０度の範囲が許容されるので、θ＝９５−補強土壁面角度乃至θ＝７０−補強土壁面角度の範囲になっておればよい。
なお、その他の、構造、使用方法については、実施の形態１と相違するものはない。
【符号の説明】
【００６２】
１０    係合具
１１    環状部
１４    操作部
３０    支柱
３１，３２    水平ガード桟
４０    金網壁面材
４１    桟部分
５０    ソレノイド
【図１】
2011208415.tif 000003
【図２】
2011208415.tif 000004
【図３】
2011208415.tif 000005
【図４】
2011208415.tif 000006
【図５】
2011208415.tif 000007
【図６】
2011208415.tif 000008
【図７】
2011208415.tif 000009
【図８】
2011208415.tif 000010
【図９】
2011208415.tif 000011
【図１０】
2011208415.tif 000012